(57)【要約】【課題】本体側操作部および遠隔制御装置を操作する際の操作性の向上を図る上で有利な電子機器を提供する。【解決手段】本体側制御部４２は、本体側操作部が操作されたことを検出すると、該本体側操作部の操作を案内する第１案内画面を表示画面に表示する第１案内動作を行う。そして、本体側制御部４２は、遠隔制御装置４６が操作されたことを検出すると、遠隔制御装置４６の操作を案内する第２案内画面を表示画面２４０２に表示する第２案内動作を行う。【選択図】図８
2010193196.tif 000002
【特許請求の範囲】
【請求項１】
遠隔制御装置によって遠隔制御可能に構成された本体装置を備え、
前記本体装置は、
表示画面を有する表示部と、
入力操作を行う本体側操作部と、
前記本体側操作部の操作に応じた制御動作を行うと共に、前記遠隔制御装置の操作に応じた制御動作を行う本体側制御部とを有し、
前記本体側制御部は、前記本体側操作部が操作されたことを検出すると、該本体側操作部の操作を案内する第１案内画面を前記表示画面に表示する第１案内動作を行い、前記遠隔制御装置が操作されたことを検出すると、前記遠隔制御装置の操作を案内する第２案内画面を前記表示画面に表示する第２案内動作を行う、
電子機器。
【請求項２】
前記遠隔制御装置は、
入力操作を行う遠隔制御装置側操作部と、
前記遠隔制御装置側操作部の操作に応じて遠隔操作信号を生成し前記本体側制御部に供給する遠隔制御装置側制御部とを有し、
前記遠隔制御装置が操作されたことの検出は、前記遠隔制御装置側操作部が操作されたことの検出であり、
前記遠隔制御装置の操作の案内は、前記遠隔制御装置側操作部の操作の案内である、
請求項１記載の電子機器。
【請求項３】
前記本体側操作部は、各種設定項目が列挙されたメニュー画面を前記表示部に表示するための第１本体側操作部材と、前記メニュー画面に列挙された各種設定項目を選択するための第２本体側操作部材とを有し、
前記検出される前記本体側操作部の操作は、前記第１本体側操作部材の操作である、
請求項１記載の電子機器。
【請求項４】
前記遠隔制御装置側操作部は、各種設定項目が列挙されたメニュー画面を前記表示部に表示するための第１遠隔制御装置側操作部と、前記メニュー画面に列挙された各種設定項目を選択するための第２遠隔制御装置側操作部とを有し、
前記検出される前記遠隔制御装置の操作は、前記第１遠隔制御装置側操作部の操作である、
請求項１記載の電子機器。
【請求項５】
前記第１遠隔制御装置側操作部材と前記第２遠隔制御装置側操作部材とは共に押しボタンで構成されている、
請求項１記載の電子機器。
【発明の詳細な説明】
【技術分野】
【０００１】
本発明は電子機器に関する。
【背景技術】
【０００２】
車載用オーディオ装置などの電子機器として、遠隔制御装置によって遠隔制御可能に構成された本体装置を備えるものがある。
このような電子機器においては、本体装置に設けられた本体装置側操作部を用いて操作することができ、また、遠隔制御装置を用いることで本体装置を遠隔制御することができる。
このような電子機器において、本体装置に設けられた表示部に遠隔制御装置の操作ボタンの機能説明をヘルプ画面として表示させる技術が提案されている（特許文献１参照）。
【先行技術文献】
【特許文献】
【０００３】
【特許文献１】特開平９−１３０６９５
【発明の概要】
【発明が解決しようとする課題】
【０００４】
ところで、本体装置側操作部と遠隔制御装置とでは、それらに設けられた操作ボタンや操作部材の構造や配置が異なるため、操作方法が異なることから操作方法がわかりにくく、操作ミスを招く不都合があった。
しかしながら上記従来技術では、単に遠隔制御装置の操作ボタンの機能を提示するものにとどまるものであり上記不具合を解消するには十分なものではなかった。
本発明はこのような事情に鑑みなされたものであり、その目的は、本体側操作部および遠隔制御装置を操作する際の操作性の向上を図る上で有利な電子機器を提供することにある。
【課題を解決するための手段】
【０００５】
上述の目的を達成するため、本発明の電子機器は、遠隔制御装置によって遠隔制御可能に構成された本体装置を備え、前記本体装置は、表示画面を有する表示部と、入力操作を行う本体側操作部と、前記本体側操作部の操作に応じた制御動作を行うと共に、前記遠隔制御装置の操作に応じた制御動作を行う本体側制御部とを有し、前記本体側制御部は、前記本体側操作部が操作されたことを検出すると、該本体側操作部の操作を案内する第１案内画面を前記表示画面に表示する第１案内動作を行い、前記遠隔制御装置が操作されたことを検出すると、前記遠隔制御装置の操作を案内する第２案内画面を前記表示画面に表示する第２案内動作を行う。
【発明の効果】
【０００６】
本発明によれば、本体側操作部の操作を案内する第１案内画面と、遠隔制御装置の操作を案内する第２案内画面とが表示される。
したがって、本体側操作部および遠隔制御装置の何れを操作する場合も、操作に迷ったり、操作を間違えることなく的確に操作することができ、操作性の向上を図る上で有利となる。
【図面の簡単な説明】
【０００７】
【図１】電子機器１０および遠隔制御装置４６の構成を示すブロック図である。
【図２】電子機器１０の正面図である。
【図３】第２本体側操作部材１８の斜視図である。
【図４】遠隔制御装置４６の平面図である。
【図５】通常再生画面と本体側サウンド設定メニュー画面７２と遠隔制御装置サウンド設定メニュー画面８２の遷移図である。
【図６】（Ａ）乃至（Ｃ）は本体側サウンド設定メニュー画面７２の遷移図である。
【図７】（Ａ）乃至（Ｄ）は本体側サウンド設定メニュー画面７２のＤＳＯ設定画面７２Ａの遷移図である。
【図８】（Ａ）乃至（Ｄ）は本体側サウンド設定メニュー画面７２のバランス設定画面７２Ｂの遷移図である。
【図９】（Ａ）乃至（Ｄ）は本体側サウンド設定メニュー画面７２のフェーダー設定画面７２Ｃの遷移図である。
【図１０】（Ａ）乃至（Ｃ）は遠隔制御装置サウンド設定メニュー画面８２の遷移図である。
【図１１】（Ａ）乃至（Ｄ）は遠隔制御装置サウンド設定メニュー画面８２のＤＳＯ設定画面８２Ａの遷移図である。
【図１２】（Ａ）乃至（Ｄ）は遠隔制御装置サウンド設定メニュー画面８２のバランス設定画面８２Ｂの遷移図である。
【図１３】（Ａ）乃至（Ｄ）は遠隔制御装置サウンド設定メニュー画面８２のフェーダー設定画面８２Ｃの遷移図である。
【発明を実施するための形態】
【０００８】
次に、本発明の実施の形態について図１乃至図１３を参照して説明する。
本実施の形態では、電子機器１０が自動車の車室内に組み込まれるカーオーディオ装置である場合について説明する。
図１に示すように、電子機器１０は車室内のダッシュボードなどに組み込まれる本体装置１２と、車室内の適宜箇所に設けられ本体装置１２に接続されたスピーカー４４とを含んで構成されている。
本実施の形態では、スピーカー４４は、車室内の前方の左右と、車室内の後方の左右との４箇所に配置されている。
本体装置１２は、遠隔制御装置４６によって遠隔制御可能に構成されている。
【０００９】
図２に示すように、本体装置１２は筐体１４を有している。
筐体１４は、高さと、高さよりも大きな寸法を有する幅および長さを有する矩形板状を呈している。
筐体１４の前面１６の左側部寄りの箇所には第２本体側操作部材１８が設けられている。
第２本体側操作部材１８は入力操作を行うものであり、後述するサウンド設定メニュー画面に列挙された（言い換えると、サウンド設定メニュー画面に選択可能に表示された）各種設定項目を選択するためのものである。
第２本体側操作部材１８は、摘み２０を有している。
図３に示すように、摘み２０は、円板状の前面２００２と、前面２００２に接続された側面２００４とを有している。
摘み２０は、摘み２０の中心軸Ｃを中心として時計回り方向および反時計回り方向に（正逆方向に）回転操作可能に、かつ、中心軸Ｃに沿って後方に押下可能に設けられている。
第２本体側操作部材１８は、何れも図示しないが、摘み２０の回転方向および回転量を検出するセンサ（エンコーダ）、摘み２０の押下の有無を検出するセンサ（スイッチ）を備えている。
言い換えると、第２本体側操作部材１８は回転可能かつ押下可能なレバーで構成されている。
なお、図３において符号２２は、摘み２０の外周を囲むように中心軸Ｃと同心状に形成された筒状壁部を示す。
筒状壁部２２の底部には、摘み２０を中心とする円環状の底面２２０２が形成されている。
【００１０】
図２に示すように、第２本体側操作部材１８の右側には表示部２４が設けられている。
表示部２４は、幅方向に延在する長方形状の表示画面２４０２を前面１６の前方に臨ませ配置されている。
表示部２４は、文字、記号、映像などが表示可能に構成されており、このような表示部２４として、液晶表示装置、有機ＥＬ表示装置など従来公知のさまざまな表示装置が採用可能である。
【００１１】
図２に示すように、前面１６の右側部には、本体側操作ボタン２６として、ディスクイジェクトボタン２６０２、スクロールボタン２６０４、オフボタン２６０６が設けられている。
ディスクイジェクトボタン２６０２は、ディスク再生部３０（図１）からＣＤやＤＶＤなどのディスク状記録媒体を取り出すために操作される操作ボタンである。
スクロールボタン２６０４は、表示画面２４０２に表示しきれない長い文字列をスクロールするために操作される操作ボタンである。
【００１２】
オフボタン２６０６は、電子機器１０の電源のオフを行うために操作されるものである。
図２において、符号２８は携帯型音楽プレーヤーなどの外部機器から供給されるコンテンツデータを入力するための入力コネクタを示す。
また、第２本体側操作部材１８の左側部には、操作ボタン２６として、モードボタン２６１０、ソースボタン２６１２、シャッフルボタン２６１４、ディスプレイボタン２６１６、メニューボタン２６１８などが設けられている。
モードボタン２６１０は、チューナー部３２（図１）によりラジオ放送を受信する際のＡＭ放送とＦＭ放送とを切り換えるための操作ボタンである。
【００１３】
ソースボタン２６１２は、ディスク再生部３０（図１）によりＣＤやＤＶＤなどのディスク状記録媒体を再生するか、チューナー部３２（図１）によりラジオ放送を聴取するか、前記外部機器のコンテンツデータを再生するかを切り換えるための操作ボタンである。
シャッフルボタン２６１４は、ディスク状記録媒体のシャッフル再生を行うか、否かを設定する操作ボタンである。
ディスプレイボタン２６１６は、表示部２４の表示画面を切り換えるための操作ボタンである。
【００１４】
メニューボタン２６１８は、後述するサウンド設定メニュー画面を表示画面２４０２に呼び出すための操作ボタンである。
本実施の形態では、メニューボタン２６１８により、各種設定項目が列挙されたメニュー画面を前記表示部に表示するための第１本体側操作部材が構成されている。
また、このメニューボタン２６１８と第２本体側操作部材１８により特許請求の範囲の本体側操作部が構成されている。
【００１５】
図１に示すように、本体装置１２は、さらに、ディスク再生部３０、チューナー部３２、外部インターフェース３４、表示制御部３６、音声出力部３８、受信部４０、本体側制御部４２などを含んで構成されている。
ディスク再生部３０は、ＣＤやＤＶＤなどのディスク状記録媒体に記録された音楽などのコンテンツデータを再生して音声信号を生成するものである。
チューナー部３２は、ラジオ放送局から送信される電波を受信して音声信号を生成するものである。
【００１６】
外部インターフェース３４は、入力コネクタ２８に接続された外部機器から供給されるコンテンツデータを受け付けるものである。
表示制御部３６は、本体側制御部４２から供給される画像データに基づいて表示部２４を駆動制御することにより表示画面２４０２に文字、記号、映像などを表示させるものである。
音声出力部３８は、ディスク再生部３０、チューナー部３２、外部インターフェース３４から供給される音声信号を本体側制御部４２を介して受け取り、音声信号を信号処理しあるいは増幅したのちスピーカー４４に供給する。これにより、スピーカー４４から音響が発生する。
【００１７】
受信部４０は、遠隔制御装置４６の送信部６４から送信される遠隔制御信号を受信すると共に、遠隔制御信号をデコードして得た制御コマンドを本体側制御部４２に供給するものである。
なお、送信部６４から送信される遠隔制御信号は無線信号であり、このような無線信号として赤外線信号などの従来公知の無線信号が採用可能である。
【００１８】
本体側制御部４２は、例えば、ＣＰＵ、制御プログラムなどを格納するＲＯＭ、ワーキングエリアを提供するＲＡＭ、周辺回路とのインターフェースをとるインターフェース部などがバスによって接続されたマイクロコンピュータによって構成されたものである。本体側制御部４２は、前記ＣＰＵが制御プログラムを実行することにより機能する。
本体側制御部４２は、第２本体側操作部材１８、本体側操作ボタン２６によって入力された操作入力に応じてディスク再生部３０、チューナー部３２、表示制御部３６、音声出力部３８の制御を行う。
また、本体側制御部４２は、受信部４０から供給される前記遠隔制御信号（制御コマンド）に応じてディスク再生部３０、チューナー部３２、表示制御部３６、音声出力部３８の制御を行う。
【００１９】
図４に示すように、遠隔制御装置４６は矩形板状の筐体４８を有している。
筐体４８の厚さ方向の一方に位置する表面には、第２遠隔制御装置側操作部材５０が設けられている。
第２遠隔制御装置側操作部材５０は入力操作を行うものである。
本実施の形態では、第２遠隔制御装置側操作部材５０は、決定ボタン５２と、決定ボタン５２の周囲を囲むように設けられた上矢印ボタン５４、下矢印ボタン５６、左矢印ボタン５８、右矢印ボタン６０との５つの押しボタンで構成されている。
第２遠隔制御装置側操作部材５０は、入力操作を行うものであり、後述するサウンド設定メニュー画面に列挙された（言い換えると、サウンド設定メニュー画面に選択可能に表示された）各種設定項目を選択するためのものである。
【００２０】
筐体４８の表面には、さらに、遠隔制御装置側操作ボタン６２が設けられている。
遠隔制御装置側操作ボタン６２は入力操作を行うものである。
本実施の形態では、遠隔制御装置側操作ボタン６２として、オフボタン６２０２、ソースボタン６２０４、サウンドボタン６２０６、モードボタン６２０８、ディスプレイボタン６２１０、スクロールボタン６２１２が設けられている。また、遠隔制御装置側操作ボタン６２として、音量調整ボタン６２１４、メニューボタン６２１６などが設けられている。
オフボタン６２０２は、前記のオフボタン２６０６と同様に、電子機器１０の電源のオフを行うために操作されるものである。
【００２１】
ソースボタン６２０４は、前記のソースボタン２６１２と同様に電子機器１０で再生するソースを切り換えるための操作ボタンである。
サウンドボタン６２０６は、音質の設定などを行う際に操作される操作ボタンである。
モードボタン６２０８は、前記のモードボタン２６１０と同様に、ＡＭ放送とＦＭ放送とを切り換えるための操作ボタンである。
ディスプレイボタン６２１０は、前記のディスプレイボタン２６１６と同様に、表示部２４の表示画面を切り換えるための操作ボタンである。
スクロールボタン６２１２は、前記のスクロールボタン２６０４と同様に、表示画面２４０２に表示しきれない長い文字列をスクロールするための操作ボタンである。
音量調整ボタン６２１４は、スピーカー４４の音量を増減するために操作される操作ボタンである。
【００２２】
メニューボタン６２１６は、後述するサウンド設定メニュー画面を表示画面２４０２に呼び出すための操作ボタンである。
本実施の形態では、メニューボタン６２１６により、各種設定項目が列挙されたメニュー画面を前記表示部に表示するための第１遠隔制御装置側操作部材が構成されている。
また、このメニューボタン６２１６と第２遠隔制御装置側部材５０により特許請求の範囲の遠隔制御装置側操作部が構成されている。
【００２３】
図１に示すように、遠隔制御装置４６は、さらに、送信部６４、遠隔制御装置側制御部６６などを含んで構成されている。
遠隔制御装置側制御部６６は、例えば、ＣＰＵ、制御プログラムなどを格納するＲＯＭ、ワーキングエリアを提供するＲＡＭ、周辺回路とのインターフェースをとるインターフェース部などがバスによって接続されたマイクロコンピュータによって構成されたものである。遠隔制御装置側制御部６６は、前記ＣＰＵが制御プログラムを実行することにより機能する。
遠隔制御装置側制御部６６は、第２遠隔制御装置側操作部材５０、遠隔制御装置側操作ボタン６２によって入力された操作入力に応じた制御コマンドを送信部６４に供給する。
送信部６４は、遠隔制御装置側制御部６６から供給された制御コマンドに基づいて遠隔制御信号を生成し、言い換えると、制御コマンドをコード化した遠隔制御信号を生成して受信部４０に送信するものである。
【００２４】
ここで、第２本体側操作部材１８と、第２遠隔制御装置側操作部材５０について説明する。
第２本体側操作部材１８および第２遠隔制御装置側操作部材５０は、表示画面２４０２に表示されたメニュー画面を構成する複数の選択項目から１つの選択項目を選択し決定するために操作されるものである。
前述したように第２本体側操作部材１８と第２遠隔制御装置側操作部材５０とは構成が相違しており、したがって、操作方法も互いに異なっている。
また、メニュー画面を構成する複数の選択項目から１つの選択項目を選択し決定する際に許容された操作方法の種類は、メニュー画面に応じて異なるものとなっている。
すなわち、第２本体側操作部材１８の場合、摘み２０の操作方法として、正逆方向への回転操作と、押下操作とが可能であるが、それら複数の操作のうち有効な操作はメニュー画面に応じて異なるものとなっている。
また、第２遠隔制御装置側操作部材５０の場合、決定ボタン５２、４つの矢印ボタン５４、５６、５８、６０が操作可能であるが、それら５つの操作ボタンのうち有効な操作ボタンはメニュー画面に応じて異なるものとなっている。
そこで、本実施の形態では、本体側操作部を操作した場合には、本体側制御部４２は、本体側操作部における有効な操作方法を案内する第１案内画面を表示画面２４０２に表示させる第１案内動作を行う。
また、第２遠隔制御装置側操作部材５０を操作した場合には、本体側制御部４２は、第２遠隔制御装置側操作部材５０における有効な操作方法を案内する第２案内画面を表示画面２４０２に表示させる第２案内動作を行う。
【００２５】
次に本実施の形態の電子機器１０の動作について詳細に説明する。
以下では、種々の設定メニューのうち、サウンド設定メニューにおける操作について説明する。
図５に示すように、例えば、ＣＤを再生している場合、表示画面２４０２には、ＣＤ再生用表示画面７０が表示される。
ＣＤ再生用表示画面７０は、ＣＤがソース（音源）であること示すアイコンあるいは文字７００２、曲名７００４、トラック番号７００６、再生経過時間７００８などを表示する。
ＣＤ再生用表示画面７０が表示されている状態で、本体側制御部４２が本体装置１２のメニューボタン２６１８の押下を検出すると、本体側制御部４２は、本体側サウンド設定メニュー画面７２を表示画面２４０２に表示させる。
この状態で、再度、本体側制御部４２が本体装置１２のメニューボタン２６１８を押下すると、本体側制御部４２は、ＣＤ再生用表示画面７０を表示画面２４０２に表示させる。
また、ＣＤ再生用表示画面７０が表示されている状態で、本体側制御部４２が遠隔制御装置４６のメニューボタン６２１６の押下を検出すると、本体側制御部４２は、遠隔制御装置サウンド設定メニュー画面８２を表示画面２４０２に表示させる。
この状態で、再度、本体側制御部４２が遠隔制御装置４６のメニューボタン６２１６の押下を検出すると、本体側制御部４２は、ＣＤ再生用表示画面７０を表示画面２４０２に表示させる。
本体側サウンド設定メニュー画面７２および遠隔制御装置サウンド設定メニュー画面８２は、各種設定項目が列挙されたメニュー画面として構成されるものである。
【００２６】
（本体側サウンド設定メニュー画面７２）
次に本体側サウンド設定メニュー画面７２が表示された状態での動作について説明する。
図６に示すように、本体側サウンド設定メニュー画面７２は、（Ａ）ＤＳＯ設定画面７２Ａ、（Ｂ）バランス設定画面７２Ｂ、（Ｃ）フェーダー設定画面７２Ｃの３つの画面を含む。
本実施の形態では、本体側制御部４２は、メニューボタン２６１８の押下を検出すると、本体側サウンド設定メニュー画面７２としてＤＳＯ設定画面７２Ａを表示画面２４０２に表示させる。
【００２７】
（ＤＳＯ設定画面７２Ａ）
まず、ＤＳＯ設定画面７２Ａについて説明する。
ＤＳＯ設定画面７２Ａは、音声出力部３８からスピーカー４４に与える音声信号に対して信号処理を行うことで、あたかもダッシュボード上に位置する仮想的なスピーカーから音響が聴こえてくるような音場補正にまつわる設定を行うための画面である。
具体的には、ＤＳＯ設定画面７２Ａは、上記音場補正の効果の強弱を３段階に設定する（ＤＳＯのパラメータを選択する）ための画面である。
【００２８】
図７に示すように、ＤＳＯ設定画面７２Ａは、設定内容表示部７６と、操作表示部７８とを含む。なお、図中、符号７２１０Ａは、表示画面２４０２にＤＳＯ設定画面７２Ａが表示されていることを示す文字を示す。
ＤＳＯ設定画面７２Ａは、上記音場補正の設定内容の詳細を示す。
具体的には、ＤＳＯ設定画面７２Ａにおいて、設定内容表示部７６は、上記音場補正の設定内容を、スピーカーをかたどった設定用アイコン７６０２で表示する。
【００２９】
図７（Ａ）は、設定内容表示部７６において設定用アイコン７６０２の非表示状態を示しており、言い換えると、設定用アイコン７６０２の色が設定内容表示部７６の背景色と同じ色で表示された状態（グレイアウト）を示す。
このように設定用アイコン７６０２が非表示とされることで、ＤＳＯのパラメータ選択ではなく、本体側サウンド設定メニュー画面７２の選択中、言い換えると、ＤＳＯ設定画面７２Ａ、バランス設定画面７２Ｂ、フェーダー設定画面７２Ｃの３つの画面の選択中であることが示される。
図７（Ｂ）、（Ｃ），（Ｄ）は、設定内容表示部７６において設定用アイコン７６０２の表示状態を示しており、言い換えると、設定用アイコン７６０２の色が設定内容表示部７６の背景色と異なる色で表示された状態を示す。
このように設定用アイコン７６０２が表示されることでＤＳＯのパラメータ選択が有効であることが示される。
図７（Ｂ）、（Ｃ），（Ｄ）に示すように、ＤＳＯ設定画面７２Ａに表示される設定用アイコン７６０２の上下方向における位置によって、上記補正効果の強弱の程度が示されている。
より詳細には、図７（Ｂ）、（Ｃ）、（Ｄ）は、上記補正効果が強、中、弱であることをそれぞれ示している。
【００３０】
操作表示部７８は、第２本体側操作部材１８の摘み２０の操作方法として、時計回り方向への回転操作、反時計回り方向への回転操作、押下操作の３つの操作の何れが有効であるかを、矢印アイコン７８０２、７８０４と、円アイコン７８０６を用いて表示する。
すなわち、操作表示部７８において、アイコン７８０２、７８０４、７８０６のうち、表示されたアイコンに対応する第２本体側操作部材１８の操作は有効であり、非表示とされたアイコンに対応する第２本体側操作部材１８の操作は無効であることが示される。
なお、図６乃至図９においては、各アイコン７８０２、７８０４、７８０６にハッチングが施されていることによりそれら各アイコンが表示されている状態を示す。また、各アイコン７８０２、７８０４、７８０６にハッチングが施されていないことによりそれら各アイコンが非表示とされている状態を示す。
【００３１】
したがって、図７（Ａ）に示すように、３つのアイコン７８０２、７８０４、７８０６の全てが表示されている場合は、時計回り方向への回転操作、反時計回り方向への回転操作、押下操作の３つの操作の全てが有効であることを示す。
また、図７（Ｂ）に示すように、時計回り方向の矢印アイコン７８０４と円アイコン７８０６が表示されている場合は、時計回り方向への回転操作と押下操作の２つの操作が有効であり、反時計回り方向への回転操作が無効であることを示す。
また、図７（Ｃ）に示すように、３つのアイコン７８０２、７８０４、７８０６の全てが表示されている場合は、図７（Ａ）と同様に、時計回り方向への回転操作、反時計回り方向への回転操作、押下操作の３つの操作の全てが有効であることを示す。
また、図７（Ｄ）に示すように、反時計回り方向の矢印アイコン７８０４と円状のアイコン７８０６が表示されている場合は、反時計回り方向への回転操作と押下操作の２つの操作が有効であり、時計回り方向への回転操作が無効であることを示す。
【００３２】
図７（Ａ）の表示状態で摘み２０を押下すると図７（Ｃ）の表示状態に遷移する。この際、設定用アイコン７６０２で示される上記音場補正の効果は中である。
図７（Ｃ）の表示状態では摘み２０の時計回り方向への回転操作、反時計回り方向への回転操作、押下操作の３つの操作の全てが有効であることが示されている。
この状態で摘み２０を押下すると、上記音場補正の効果を中とした設定がなされる。
【００３３】
図７（Ｃ）の表示状態で摘み２０を時計回り方向に回転操作すると、図７（Ｄ）の表示状態に遷移する。この際、設定用アイコン７６０２で示される上記音場補正の効果は弱である。
図７（Ｄ）の表示状態では、反時計回り方向への回転操作と押下操作の２つの操作が有効であることが示されている。
この状態で摘み２０を押下すると、上記音場補正の効果を弱とした設定がなされる。
また、摘み２０を反時計回り方向に回転操作することで図７（Ｃ）の表示状態に遷移する。
【００３４】
図７（Ｃ）の表示状態で摘み２０を反時計回り方向に回転操作すると、図７（Ｂ）の表示状態に遷移する。この際、設定用アイコン７６０２で示される上記音場補正の効果は強である。
図７（Ｂ）の表示状態では、時計回り方向への回転操作と押下操作の２つの操作が有効であることが示されている。
この状態で摘み２０を押下すると、上記音場補正の効果を強とした設定がなされる。
また、摘み２０を時計回り方向に回転操作することで図７（Ｃ）の表示状態に遷移する。
【００３５】
（バランス設定画面７２Ｂ）
次に、バランス設定画面７２Ｂについて説明する。
図６に示すように、ＤＳＯ設定画面７２Ａにおいて３つのアイコン７８０２、７８０４、７８０６が表示されており、かつ、設定用アイコン７６０２（図７）が非選択の状態で摘み２０を時計方向に回転操作することによってＤＳＯ設定画面７２Ａからバランス設定画面７２Ｂに画面表示が遷移する。
また、バランス設定画面７２Ｂにおいて３つのアイコン７８０２、７８０４、７８０６の全てが表示されており、かつ、設定用アイコン７６１２（図８）が非選択の状態で、摘み２０を反時計方向に回転操作することによって、バランス設定画面７２ＢからＤＳＯ設定画面７２Ａに画面表示が遷移する。
【００３６】
バランス設定画面７２Ｂは、音声出力部３８からスピーカー４４に与える音声信号に対して信号処理を行うことで、左右の音量のバランスを設定する（左右の音量のバランスのパラメータを選択する）ための画面である。
具体的には、バランス設定画面７２Ｂは、左右の音量のバランスを調整して設定するための画面である。なお、左右の音量のバランスは例えば３段階、あるいは、それ以上の段階にわたって調整するようにしてもよいし、あるいは、無段階に調整できるようにしてもよい。
【００３７】
図８に示すように、バランス設定画面７２Ｂは、設定内容表示部７６と、操作表示部７８とを含む。なお、図中、符号７２１０Ｂは、表示画面２４０２にバランス設定画面７２Ｂが表示されていることを示す文字を示す。
バランス設定画面７２Ｂは、左右の音量のバランスの設定内容の詳細を示す。
具体的には、バランス設定画面７２Ｂにおいて、設定内容表示部７６は、左右の音量のバランスの設定内容を、前後左右の４箇所のスピーカーをかたどった設定用アイコン７６１０と、音量のバランスを示す設定用アイコン７６１２とを用いて表示する。
【００３８】
図８（Ａ）は、設定内容表示部７６において音量のバランスを示す設定用アイコン７６１２の非表示状態を示している。
このように音量のバランスを示す設定用アイコン７６１２が非表示とされることで左右の音量のバランスのパラメータ選択画面ではなく本体側サウンド設定メニュー画面７２の選択中、言い換えると、ＤＳＯ設定画面７２Ａ、バランス設定画面７２Ｂ、フェーダー設定画面７２Ｃの３つの画面の選択中であることが示される。
図８（Ｂ）、（Ｃ），（Ｄ）は、設定内容表示部７６において音量のバランスを示す設定用アイコン７６１２の表示状態を示している。
このように音量のバランスを示す設定用アイコン７６１２が表示されることで音量のバランス調整の設定が可能であることが示される。
図８（Ｂ）、（Ｃ），（Ｄ）に示すように、バランス設定画面７２Ｂに表示される音量のバランスを示す設定用アイコン７６１２の左右方向における位置によって、左右の音量のバランスが示されている。
【００３９】
操作表示部７８の表示内容は図７と同様である。
図８（Ａ）の表示状態で摘み２０を押下すると図８（Ｃ）の表示状態に遷移する。この際、音量のバランスを示す設定用アイコン７６１２で示される音量のバランスは中央位置である。
図８（Ｃ）の表示状態では摘み２０の時計回り方向への回転操作、反時計回り方向への回転操作、押下操作の３つの操作の全てが有効であることが示されている。
この状態で摘み２０を押下すると、上記音量のバランスを中央位置とした設定がなされる。
【００４０】
図８（Ｃ）の表示状態で摘み２０を時計回り方向に回転操作すると、図８（Ｄ）の表示状態に遷移する。この際、音量のバランスを示す設定用アイコン７６１２で示される音量のバランスは右寄り位置である。
図８（Ｄ）の表示状態では、反時計回り方向への回転操作と押下操作の２つの操作が有効であることが示されている。
この状態で摘み２０を押下すると、音量のバランスを右寄り位置とした設定がなされる。
また、摘み２０を反時計回り方向に回転操作することで図８（Ｃ）の表示状態に遷移する。
【００４１】
図８（Ｃ）の表示状態で摘み２０を反時計回り方向に回転操作すると、図８（Ｂ）の表示状態に遷移する。この際、音量のバランスを示す設定用アイコン７６１２で示される音量のバランスは左寄り位置である。
図８（Ｂ）の表示状態では、時計回り方向への回転操作と押下操作の２つの操作が有効であることが示されている。
この状態で摘み２０を押下すると、音量のバランスを左寄り位置とした設定がなされる。
また、摘み２０を時計回り方向に回転操作することで図８（Ｃ）の表示状態に遷移する。
【００４２】
（フェーダー設定画面７２Ｃ）
次に、フェーダー設定画面７２Ｃについて説明する。
図６に示すように、バランス設定画面７２Ｂにおいて３つのアイコン７８０２、７８０４、７８０６の全てが表示されている状態で、摘み２０を時計方向に回転操作することによって、バランス設定画面７２Ｂからフェーダー設定画面７２Ｃに画面表示が遷移する。
また、フェーダー設定画面７２Ｃにおいて３つのアイコン７８０２、７８０４、７８０６の全てが表示されている状態で、摘み２０を反時計方向に回転操作することによって、フェーダー設定画面７２Ｃからバランス設定画面７２Ｂに画面表示が遷移する。
また、フェーダー設定画面７２Ｃにおいて３つのアイコン７８０２、７８０４、７８０６の全てが表示されている状態で、摘み２０を時計方向に回転操作することによって、フェーダー設定画面７２ＣからＤＳＯ画面７２Ａに画面表示が遷移する。
【００４３】
フェーダー設定画面７２Ｃは、音声出力部３８からスピーカー４４に与える音声信号に対して信号処理を行うことで、前後の音量のバランスを設定する（前後の音量のバランスのパラメータを選択する）ための画面である。
具体的には、フェーダー設定画面７２Ｃは、前後の音量のバランスを調整して設定するための画面である。なお、前後の音量のバランスは例えば３段階、あるいは、それ以上の段階にわたって調整するようにしてもよいし、あるいは、無段階に調整できるようにしてもよい。
【００４４】
図９に示すように、フェーダー設定画面７２Ｃは、設定内容表示部７６と、操作表示部７８とを含む。なお、図中、符号７２１０Ｃは、表示画面２４０２にバランス設定画面７２Ｂが表示されていることを示す文字を示す。
フェーダー設定画面７２Ｃは、前後の音量のバランスの設定内容の詳細を示す。
具体的には、フェーダー設定画面７２Ｃにおいて、設定内容表示部７６は、前後の音量のバランスの設定内容を、前後左右の４箇所のスピーカーをかたどった設定用アイコン７６１０と、音量のバランスを示す設定用アイコン７６１２とを用いて表示する。
【００４５】
図９（Ａ）は、設定内容表示部７６において音量のバランスを示す設定用アイコン７６１２の非表示状態を示している。
このように音量のバランスを示す設定用アイコン７６１２が非表示とされることで前後の音量のバランスのパラメータ選択画面ではなく、本体側サウンド設定メニュー画面７２の選択中、言い換えると、ＤＳＯ設定画面７２Ａ、バランス設定画面７２Ｂ、フェーダー設定画面７２Ｃの３つの画面の選択中であることが示される。
図９（Ｂ）、（Ｃ），（Ｄ）は、設定内容表示部７６において音量のバランスを示す設定用アイコン７６１２の表示状態を示している。
このように音量のバランスを示す設定用アイコン７６１２が表示されることで音量のバランス調整の設定が有効であることが示される。
図９（Ｂ）、（Ｃ），（Ｄ）に示すように、フェーダー設定画面７２Ｃに表示される音量のバランスを示す設定用アイコン７６１２の前後方向における位置によって、前後の音量のバランスが示されている。
【００４６】
操作表示部７８の表示内容は図７と同様である。
図９（Ａ）の表示状態で摘み２０を押下すると図９（Ｃ）の表示状態に遷移する。この際、音量のバランスを示す設定用アイコン７６１２で示される音量のバランスは中央位置である。
図９（Ｃ）の表示状態では摘み２０の時計回り方向への回転操作、反時計回り方向への回転操作、押下操作の３つの操作の全てが有効であることが示されている。
この状態で摘み２０を押下すると、上記音量のバランスを中央位置とした設定がなされる。
【００４７】
図９（Ｃ）の表示状態で摘み２０を時計回り方向に回転操作すると、図９（Ｄ）の表示状態に遷移する。この際、音量のバランスを示す設定用アイコン７６１２で示される音量のバランスは後寄り位置である。
図９（Ｄ）の表示状態では、反時計回り方向への回転操作と押下操作の２つの操作が有効であることが示されている。
この状態で摘み２０を押下すると、音量のバランスを右寄り位置とした設定がなされる。
また、摘み２０を反時計回り方向に回転操作することで図９（Ｃ）の表示状態に遷移する。
【００４８】
図９（Ｃ）の表示状態で摘み２０を反時計回り方向に回転操作すると、図９（Ｂ）の表示状態に遷移する。この際、音量のバランスを示す設定用アイコン７６１２で示される音量のバランスは前寄り位置である。
図９（Ｂ）の表示状態では、時計回り方向への回転操作と押下操作の２つの操作が有効であることが示されている。
この状態で摘み２０を押下すると、音量のバランスを前寄り位置とした設定がなされる。
また、摘み２０を時計回り方向に回転操作することで図９（Ｃ）の表示状態に遷移する。
【００４９】
上述したように、第１本体側操作部材（メニューボタン２６１８）を操作した場合に、第２本体側操作部材１８における有効な操作方法を案内する第１案内画面（操作表示部７８）を表示画面２４０２に表示させる。
すなわち、本体側サウンド設定メニュー画面７２の操作表示部７８に表示される各アイコン７８０２、７８０４、７８０６の表示、非表示によって、第２本体側操作部材１８に対する有効な操作と、無効な操作とが案内される。
【００５０】
（遠隔制御装置サウンド設定メニュー画面８２）
次に遠隔制御装置サウンド設定メニュー画面８２が表示された状態での動作について説明する。
図１０に示すように、遠隔制御装置サウンド設定メニュー画面８２は、（Ａ）ＤＳＯ設定画面８２Ａ、（Ｂ）バランス設定画面８２Ｂ、（Ｃ）フェーダー設定画面８２Ｃの３つの画面を含む。
本実施の形態では、本体側制御部４２は、遠隔制御装置４６によるメニューボタン６２１６の押下を送信部６４、受信部４０を介して検出すると、遠隔制御装置サウンド設定メニュー画面８２としてＤＳＯ設定画面８２Ａを表示画面２４０２に表示させる。
【００５１】
（ＤＳＯ設定画面８２Ａ）
まず、ＤＳＯ設定画面８２Ａについて説明する。
ＤＳＯ設定画面８２Ａは、前述した図６のＤＳＯ設定画面７２Ａと同様の音場補正にまつわる設定を行うための画面である。
具体的には、ＤＳＯ設定画面８２Ａは、上記音場補正の効果の強弱を３段階に設定するための画面である。
【００５２】
図１１に示すように、ＤＳＯ設定画面８２Ａは、設定内容表示部７６と、操作表示部８８とを含む。なお、図中、符号８２１０Ａは、表示画面２４０２にＤＳＯ設定画面８２Ａが表示されていることを示す文字を示す。
ＤＳＯ設定画面８２Ａは、上記音場補正の設定内容の詳細を示す。なお、図中、符号８２１０Ａは、表示画面２４０２にＤＳＯ設定画面８２Ａが表示されていることを示す文字を示す。
なお、遠隔制御装置サウンド設定メニュー画面８２において、設定内容表示部７６の表示内容は、図６乃至図９で説明した設定内容表示部７６と同一であるため、以下では設定内容表示部７６に関する説明を省く。
【００５３】
操作表示部８８は、第２遠隔制御装置側操作部材５０の操作方法として、決定ボタン５２、上矢印ボタン５４、下矢印ボタン５６、左矢印ボタン５８、右矢印ボタン６０の５つの操作ボタンのうちの何れの操作ボタンに対する押下操作が有効であるかを表示する。
具体的には、決定ボタン５２、上下の矢印ボタン５４、５６、左右の矢印ボタン５８、６０のそれぞれに対応して、決定アイコン８８０２、上下の矢印アイコン８８０４、８８０６、左右の矢印アイコン８８０８、８８１０が設けられている。
それら５つのアイコンを用いて５つの操作ボタン５２、５４、５６、５８、６０のうちの何れの操作ボタンに対する押下操作が有効であるかを表示する。
すなわち、操作表示部８８において、５つのアイコンのうち、表示されたアイコンに対応する第２遠隔制御装置側操作部材５０の操作は有効であり、非表示とされたアイコンに対応する第２遠隔制御装置側操作部材５０の操作は無効であることが示される。
なお、図１０乃至図１３においては、各アイコン８８０２、８８０４、８８０６、８８０８、８８１０にハッチングが施されていることによりそれら各アイコンが表示されている状態を示す。また、各アイコン８８０２、８８０４、８８０６、８８０８、８８１０にハッチングが施されていないことによりそれら各アイコンが非表示とされている状態を示す。
【００５４】
したがって、決定アイコン８８０２が表示されている場合は決定ボタン５２の押下操作が有効であることを示す。
上矢印アイコン８８０４が表示されている場合は上矢印ボタン５４の押下操作が有効であることを示す。
下矢印アイコン８８０６が表示されている場合は下矢印ボタン５６の押下操作が有効であることを示す。
左矢印アイコン８８０８が表示されている場合は左矢印ボタン５８の押下操作が有効であることを示す。
右矢印アイコン８８１０が表示されている場合は右矢印ボタン６０の押下操作が有効であることを示す。
【００５５】
図１１（Ａ）の表示状態で決定ボタン５２を押下すると図１１（Ｃ）の表示状態に遷移する。この際、設定用アイコン７６０２で示される上記音場補正の効果は中である。
図１１（Ｃ）の表示状態では決定ボタン５２、上下の矢印ボタン５４、５６の３つの操作が有効であることが示されている。
この状態で決定ボタン５２を押下すると、上記音場補正の効果を中とした設定がなされる。
【００５６】
図１１（Ｃ）の表示状態で決定ボタン５２を押下すると、図１１（Ｄ）の表示状態に遷移する。この際、設定用アイコン７６０２で示される上記音場補正の効果は弱である。
図１１（Ｄ）の表示状態では、決定ボタン５２と上矢印ボタン５４の２つの操作が有効であることが示されている。
この状態で決定ボタン５２を押下すると、上記音場補正の効果を弱とした設定がなされる。
また、上矢印ボタン５４を押下することで図１１（Ｃ）の表示状態に遷移する。
【００５７】
図１１（Ｃ）の表示状態で上矢印ボタン５４を押下すると、図１１（Ｂ）の表示状態に遷移する。この際、設定用アイコン７６０２で示される上記音場補正の効果は強である。
図１１（Ｂ）の表示状態では、決定ボタン５２と下矢印ボタン５６の２つの操作が有効であることが示されている。
この状態で決定ボタン５２を押下すると、上記音場補正の効果を強とした設定がなされる。
また、下矢印ボタン５６を押下することで図１１（Ｃ）の表示状態に遷移する。
【００５８】
（バランス設定画面８２Ｂ）
次に、バランス設定画面８２Ｂについて説明する。
図１０に示すように、ＤＳＯ設定画面８２Ａにおいて３つのアイコン８８０２、８８０４、８８０６が表示されている状態で下矢印ボタン５６を押下することによってＤＳＯ設定画面８２Ａからバランス設定画面８２Ｂに画面表示が遷移する。
また、バランス設定画面８２Ｂにおいて３つのアイコン８８０２、８８０４、８８０６が表示されている状態で上矢印ボタン５４を押下することによってバランス設定画面８２ＢからＤＳＯ設定画面８２Ａに画面表示が遷移する。
【００５９】
バランス設定画面８２Ｂは、前述した図７のバランス設定画面７２Ｂと同様の左右の音量のバランスを設定するための画面である。
具体的には、バランス設定画面８２Ｂは、左右の音量のバランスを調整して設定するための画面である。なお、左右の音量のバランスは例えば３段階、あるいは、それ以上の段階にわたって調整するようにしてもよいし、あるいは、無段階に調整できるようにしてもよい。
【００６０】
図１２に示すように、バランス設定画面８２Ｂは、設定内容表示部７６と、操作表示部８８とを含む。
バランス設定画面８２Ｂは、左右の音量のバランスの設定内容の詳細を示すための画面である。なお、図中、符号８２１０Ｂは、表示画面２４０２にバランス設定画面８２Ｂが表示されていることを示す文字を示す。
【００６１】
操作表示部８８の表示内容は図１１と同様である。
図１２（Ａ）の表示状態で決定ボタン５２を押下すると図１２（Ｃ）の表示状態に遷移する。この際、音量のバランスを示す設定用アイコン７６１２で示される音量のバランスは中央位置である。
図１２（Ｃ）の表示状態では決定ボタン５２と左右の矢印ボタン５８、６０の３つの操作が有効であることが示されている。
この状態で決定ボタン５２を押下すると、上記音量のバランスを中央位置とした設定がなされる。
【００６２】
図１２（Ｃ）の表示状態で右矢印ボタン６０を押下すると、図１２（Ｄ）の表示状態に遷移する。この際、音量のバランスを示す設定用アイコン７６１２で示される音量のバランスは右寄り位置である。
図１２（Ｄ）の表示状態では、決定ボタン５２と左矢印ボタン５８の２つの操作が有効であることが示されている。
この状態で決定ボタン５２を押下すると、音量のバランスを右寄り位置とした設定がなされる。
また、左矢印ボタン５８を押下することで図１２（Ｃ）の表示状態に遷移する。
【００６３】
図１２（Ｃ）の表示状態で決定ボタン５２を押下すると、図１２（Ｂ）の表示状態に遷移する。この際、音量のバランスを示す設定用アイコン７６１２で示される音量のバランスは左寄り位置である。
図１２（Ｂ）の表示状態では、決定ボタン５２と右矢印ボタン６０の２つの操作が有効であることが示されている。
この状態で決定ボタン５２を押下すると、音量のバランスを左寄り位置とした設定がなされる。
また、右矢印ボタン６０を押下することで図１２（Ｃ）の表示状態に遷移する。
【００６４】
（フェーダー設定画面８２Ｃ）
次に、フェーダー設定画面８２Ｃについて説明する。
図１０に示すように、バランス設定画面８２Ｂにおいて３つのアイコン８８０２、８８０４、８８０６の全てが表示されている状態で、下矢印ボタン５６を押下することによって、バランス設定画面８２Ｂからフェーダー設定画面８２Ｃに画面表示が遷移する。
また、フェーダー設定画面８２Ｃにおいて３つのアイコン７８０２、７８０４、７８０６の全てが表示されている状態で、上矢印ボタン５４を押下することによって、フェーダー設定画面８２Ｃからバランス設定画面８２Ｂに画面表示が遷移する。
また、フェーダー設定画面８２Ｃにおいて３つのアイコン７８０２、７８０４、７８０６の全てが表示されている状態で、下矢印ボタン５６を押下することによって、フェーダー設定画面８２ＣからＤＳＯ画面８２Ａに画面表示が遷移する。
【００６５】
フェーダー設定画面８２Ｃは、前述した図８のフェーダー設定画面７２Ｃと同様の前後の音量のバランスを設定するための画面である。
具体的には、フェーダー設定画面８２Ｃは、前後の音量のバランスを調整して設定するための画面である。なお、前後の音量のバランスは例えば３段階、あるいは、それ以上の段階にわたって調整するようにしてもよいし、あるいは、無段階に調整できるようにしてもよい。
【００６６】
図１３に示すように、フェーダー設定画面８２Ｃは、設定内容表示部７６と、操作表示部８８とを含む。
フェーダー設定画面８２Ｃは、前後の音量のバランスの設定内容の詳細を示すための画面である。なお、図中、符号８２１０Ｃは、表示画面２４０２にバランス設定画面８２Ｂが表示されていることを示す文字を示す。
フェーダー設定画面８２Ｃでは、設定内容表示部７６は、前後の音量のバランスの設定内容を、前後左右の４箇所のスピーカーをかたどった設定用アイコン７６１０と、音量のバランスを示す設定用アイコン７６１２とを用いて表示する。
【００６７】
操作表示部８８の表示内容は図１１と同様である。
図１３（Ａ）の表示状態で決定ボタン５２を押下すると図１１（Ｃ）の表示状態に遷移する。この際、音量のバランスを示す設定用アイコン７６１２で示される音量のバランスは中央位置である。
図１３（Ｃ）の表示状態では決定ボタン５２と上下の矢印ボタン５４、５６の３つの操作が有効であることが示されている。
この状態で決定ボタン５２を押下すると、上記音量のバランスを中央位置とした設定がなされる。
【００６８】
図１３（Ｃ）の表示状態で下矢印ボタン５６を押下すると、図１３（Ｄ）の表示状態に遷移する。この際、音量のバランスを示す設定用アイコン７６１２で示される音量のバランスは後寄り位置である。
図１３（Ｄ）の表示状態では、決定ボタン５２と上矢印ボタン５４の２つの操作が有効であることが示されている。
この状態で決定ボタン５２を押下すると、音量のバランスを右寄り位置とした設定がなされる。
また、上矢印ボタン５４を押下することで図１３（Ｃ）の表示状態に遷移する。
【００６９】
図１３（Ｃ）の表示状態で上矢印ボタン５４を押下すると、図１３（Ｂ）の表示状態に遷移する。この際、音量のバランスを示す設定用アイコン７６１２で示される音量のバランスは前寄り位置である。
図１３（Ｂ）の表示状態では、決定ボタン５２と下矢印ボタン５６の２つの操作が有効であることが示されている。
この状態で決定ボタン５２を押下すると、音量のバランスを前寄り位置とした設定がなされる。
また、下矢印ボタン５６を押下することで図１３（Ｃ）の表示状態に遷移する。
【００７０】
上述したように、第１遠隔操作装置側操作部材であるメニューボタン６２１６を操作した場合に、第２遠隔制御装置側操作部材５０における有効な操作方法を案内する第２案内画面（操作表示部８８）を画面２４０２に表示させる。
すなわち、遠隔制御装置サウンド設定メニュー画面８２の操作表示部８８に表示される各アイコン８８０２、８８０４、８８０６、８８０８、８８１０の表示、非表示によって、第２遠隔制御装置側操作部材５０に対する有効な操作と、無効な操作とが案内される。
【００７１】
本実施の形態によれば、本体側制御部４２は、本体側操作部が操作されたことを検出すると、該本体側操作部の操作を案内する第１案内画面を表示画面に表示する第１案内動作を行う。そして、本体側制御部４２は、遠隔制御装置４６が操作されたことを検出すると、遠隔制御装置４６の操作を案内する第２案内画面を表示画面２４０２に表示する第２案内動作を行う。
したがって、ユーザーは、本体側操作部および遠隔制御装置４６の何れを操作する場合も、操作に迷ったり、操作を間違えることなく的確に操作することができ、操作性の向上を図る上で有利となる。
【００７２】
なお、本体装置側操作部は主として運転者により操作され、遠隔制御装置４２は助手席や後部座席に着座した同乗者によって操作される。
したがって、本体側操作部と遠隔制御装置４６との何れかが操作されたかを本体側制御部４２が検出し、その検出結果に応じて電子機器１０を操作するユーザーが運転者であるか、同乗者であるかを判別し、その判別結果に応じた制御動作を行うことができる。
１）選択操作が必要なメニュー画面を表示していても、本体装置側操作部の操作後は、一定時間経過後にＣＤ再生時の画面などの特に操作を必要としない通常画面に画面を遷移させる。
一方、遠隔制御装置４２が操作された場合は、選択操作が必要なメニュー画面のまま維持し、一定時間が経過しても通常画面に画面を遷移させないようにする。
このようにすることで、運転者が操作に要する負担を軽減でき、同乗者による操作を円滑に行う上で有利となる。
２）本体装置側操作部が操作された場合には、メニュー画面に列挙される選択項目の数を限定して選択操作が簡単にできるようにする。
一方、遠隔制御装置４６が操作された場合には、メニュー画面に列挙される選択項目の数を多くして詳細な設定ができるようにする。
この場合も、１）の場合と同様に、運転者が操作に要する負担を軽減でき、同乗者による操作を円滑に行う上で有利となる。
３）遠隔制御装置４６が操作された場合は、本体装置側操作部が操作された場合に比較して、メニュー画面に列挙される選択項目を表示する文字およびアイコンの大きさを拡大する。
このようにすることで、運転者および同乗者の何れにとっても表示画面２４０２の視認性の向上を図れ、操作を円滑に行う上で有利となる。
【００７３】
なお、実施の形態では、電子機器１０がカーオーディオ装置である場合について説明したが、電子機器１０は、車載用の電子機器に限定されるものではなく、据え置き型のオーディオ装置など遠隔制御装置によって制御される電子機器に広く適用可能である。
【００７４】
また、本実施の形態では、遠隔制御装置４６が無線信号により電子機器１０を制御する場合について説明したが、遠隔制御装置は有線式であってもよい。
また、本実施の形態では、遠隔制御装置４６が１種類である場合について説明したが、操作方法が異なる２種類以上の遠隔制御装置を用いて遠隔制御が可能に構成された電子機器１０であっても本発明は無論適用可能である。
【符号の説明】
【００７５】
１０……電子機器、１２……本体装置、１８……第２本体側操作部材、２４……表示部、２４０２……表示画面、２６１８……メニューボタン（第１本体側操作部材）、４２……本体側制御部、４６……遠隔制御装置、５０……第２遠隔制御装置側操作部材、６２１６……メニューボタン（第１遠隔操作装置側操作部材）、７８……操作表示部（第１案内画面）、８８……操作表示部（第２案内画面）。
【図１】
2010193196.tif 000003
【図２】
2010193196.tif 000004
【図３】
2010193196.tif 000005
【図４】
2010193196.tif 000006
【図５】
2010193196.tif 000007
【図６】
2010193196.tif 000008
【図７】
2010193196.tif 000009
【図８】
2010193196.tif 000010
【図９】
2010193196.tif 000011
【図１０】
2010193196.tif 000012
【図１１】
2010193196.tif 000013
【図１２】
2010193196.tif 000014
【図１３】
2010193196.tif 000015